(57)【要約】  底板と該底板の外周部に立設された外側板と該外側板の内側に立設され電気回路を格納するための回路格納部を画成する内側板とを備え、樹脂により成型されたボックス本体と、前記回路格納部に格納された電気回路と、前記回路格納部に充填された充填材と、天板と該天板の外周部に垂下された側板とを備え、金属板により蓋形状に形成され、前記ボックス本体の内側板に外嵌されて前記回路格納部をカバーする内側カバーと、前記ボックス本体の外側板に係合し、前記内側カバー及びボックス本体をカバーする外側カバーと、を備える太陽電池モジュールの端子ボックスにおいて、前記内側カバーを前記ボックス本体に係合して該内側カバーの前記回路格納部からの浮上がりを防止する係合部を備える。
2009011051.tif 000002
【特許請求の範囲】
【請求項１】
底板と該底板の外周部に立設された外側板と該外側板の内側に立設され電気回路を格納するための回路格納部を画成する内側板とを備え、樹脂により成型されたボックス本体と、
前記回路格納部に格納された電気回路と、
前記回路格納部に充填された充填材と、
天板と該天板の外周部に垂下された側板とを備え、金属板により蓋形状に形成され、前記ボックス本体の内側板に外嵌されて前記回路格納部をカバーする内側カバーと、
前記ボックス本体の外側板に係合し、前記内側カバー及びボックス本体をカバーする外側カバーと、を備える太陽電池モジュールの端子ボックスにおいて、
前記内側カバーを前記ボックス本体に係合して該内側カバーの前記回路格納部からの浮上がりを防止する係合部を備えることを特徴とする太陽電池モジュールの端子ボックス。
【請求項２】
前記係合部は、前記内側カバーの側板に設けられ前記ボックス本体の外側板に向って延びる鉤部と、前記ボックス本体の外側板に設けられ前記鉤部に係合する係止部と、を備えることを特徴とする請求項１に記載の太陽電池モジュールの端子ボックス。
【請求項３】
前記係止部は、前記外側板の内側に設けられた突起部であることを特徴とする請求項２に記載の太陽電池モジュールの端子ボックス。
【請求項４】
前記係止部は、前記外側板の内側に設けられた凹部であることを特徴とする請求項２に記載の太陽電池モジュールの端子ボックス。
【請求項５】
前記鉤部は、前記内側カバーの側板から前記外側板に向かって傾斜して延びていることを特徴とする請求項２に記載の太陽電池モジュールの端子ボックス。
【請求項６】
前記内側カバーの天板及び外側カバーには、通気孔が設けられていることを特徴とする請求項１〜５のいずれか一つに記載の太陽電池モジュールの端子ボックス。
【発明の詳細な説明】
【技術分野】
【０００１】
本発明は、太陽光発電システムにおける太陽電池モジュールの出力部を構成する端子ボックスに関するものである。
【背景技術】
【０００２】
従来、太陽電池モジュールの出力部を構成する端子ボックスであって、端子台やバイパスダイオード等で構成される電気回路を収めるボックス本体を、その取付面（底板）に対向する側を開放し、その電気回路の充電部を収める部分を外側板から離隔して画成した耐候性のある樹脂によるパン形状とし、このパン形状の開放面を、金属材料で形成した内側カバーと耐候性のある樹脂よりなる外側カバーとによる二重構造のボックスカバーでカバーし、前記電気回路の充電部を収める部分に難燃性の高い充填材（ＵＬ９４規格のＶ０グレードの二液混合型シリコンポッティング材等）を充填するとともに、この充填材に前記内側カバーを密着させたものがある（例えば、特許文献１参照）。【０００３】
【特許文献１】特開２００５−０１９８３３号公報
【発明の開示】
【発明が解決しようとする課題】
【０００４】
しかしながら、上記従来の端子ボックスは、充電部が強く発熱すると、充填材が熱膨張し、また、ボックス本体の樹脂材料から気化ガスが発生することがある。充填材の熱膨張や気化ガスの圧力により、内側カバー及び外側カバーが押上げられて浮上がってしまう、という問題があった。【０００５】
本発明は、上記に鑑みてなされたものであって、内側カバー及び外側カバーの浮上がりを防止した端子ボックスを得ることを目的とする。
【課題を解決するための手段】
【０００６】
上述した課題を解決し、目的を達成するために、本発明は、底板と該底板の外周部に立設された外側板と該外側板の内側に立設され電気回路を格納するための回路格納部を画成する内側板とを備え、樹脂により成型されたボックス本体と、前記回路格納部に格納された電気回路と、前記回路格納部に充填された充填材と、天板と該天板の外周部に垂下された側板とを備え、金属板により蓋形状に形成され、前記ボックス本体の内側板に外嵌されて前記回路格納部をカバーする内側カバーと、前記ボックス本体の外側板に係合し、前記内側カバー及びボックス本体をカバーする外側カバーと、を備える太陽電池モジュールの端子ボックスにおいて、前記内側カバーを前記ボックス本体に係合して該内側カバーの前記回路格納部からの浮上がりを防止する係合部を備えることを特徴とする。
【発明の効果】
【０００７】
本発明にかかる端子ボックスは、内側カバー及び外側カバーの浮上がりを防止するという効果を奏する。
【図面の簡単な説明】
【０００８】
【図１】図１は、本発明にかかる端子ボックスの実施の形態１のポッティング材充填前の状態を示す分解斜視図である。
【図２】図２は、実施の形態１のボックス本体のポッティング材充填後の状態を示す平面図である。
【図３】図３は、実施の形態１の端子ボックスの縦断面図である。
【図４】図４は、実施の形態１の端子ボックスの外側カバーを示す平面図である。
【図５】図５は、実施の形態１の端子ボックスの内側カバーを示す平面図である。
【図６−１】図６−１は、図３のＡ部拡大図であって、実施の形態１のボックス本体と内側カバーの係合部を示す縦断面図である。
【図６−２】図６−２は、実施の形態２のボックス本体と内側カバーの係合部を示す縦断面図である。
【図６−３】図６−３は、実施の形態３のボックス本体と内側カバーの係合部を示す縦断面図である。
【図６−４】図６−４は、実施の形態４のボックス本体と内側カバーの係合部を示す縦断面図である。
【符号の説明】
【０００９】
１  太陽電池モジュール
１０，２１０，３１０，４１０  ボックス本体
１１ａ，１１ｂ，１１ｃ，１１ｄ  第１、第２、第３、第４の外側板
１１ｂｂ，１１ｂｃ，３１１ｂｂ，３１１ｂｃ  突起部（係止部、係合部）
２１１ｂｂ，２１１ｂｃ，４１１ｂｂ，４１１ｂｃ  凹部（係止部、係合部）
１２，２１２，３１２，４１２  底板
１３ａ，１３ｂ，１３ｃ，１３ｄ  第１、第２、第３、第４の内側板
１４，２１４，３１４，４１４  回路格納部
１６  ねじ止めボス
１６ａ  ねじ穴
１８  係合スリット
２０，２２０，３２０，４２０  内側カバー
２１ａ，２１ｂ，２１ｃ，２１ｄ  側板
２４ａ，２４ｂ，２２４ａ，２２４ｂ，３２４ａ，３２４ｂ  鉤部（係合部）
２２，２２２，３２２，４２２  天板
２３  通気孔
３０  外側カバー
３１ａ，３１ｂ，３１ｃ，３１ｄ  周辺部
３２  係合突起
３５  通し孔
３７  中央方形部
３８  通気孔
４０  出力リード線
５０  電気回路
６０  充填材
７０  ねじ
１００，２００，３００，４００  端子ボックス
【発明を実施するための最良の形態】
【００１０】
以下に、本発明にかかる端子ボックスの実施の形態を図面に基づいて詳細に説明する。なお、この実施の形態によりこの発明が限定されるものではない。【００１１】
実施の形態１．
図１は、本発明にかかる端子ボックスの実施の形態１のポッティング材充填前の状態を示す分解斜視図であり、図２は、実施の形態１のボックス本体のポッティング材充填後の状態を示す平面図であり、図３は、実施の形態１の端子ボックスの縦断面図である。【００１２】
図１〜図３に示すように、太陽電池モジュール１（図３参照）の出力部を構成する実施の形態１の端子ボックス１００は、その底板（取付板）１２が、太陽電池モジュール１の裏面に、接着剤等により取付けられる。端子ボックス１００は、電気回路部分を格納するボックス本体１０と、ボックス本体１０の回路格納部１４の開放面をカバーする内側カバー２０と、ボックス本体１０の開放面をカバーする外側カバー３０と、を備えている。【００１３】
ボックス本体１０は、底板１２と、底板１２の外周部に立設された第１、第２、第３、第４の外側板１１ａ、１１ｂ、１１ｃ、１１ｄとを備え、底板１２の反対側が開放された薄型長方形のパン形状に形成されている。ボックス本体１０は、ＡＢＳ樹脂或いは変成ＰＰＯ樹脂等の難燃性及び耐候性に富む樹脂により一体成型されている。【００１４】
ボックス本体１０内には、夫々の外側板１１ａ、１１ｂ、１１ｃ、１１ｄの内側に第１、第２、第３、第４の内側板１３ａ、１３ｂ、１３ｃ、１３ｄが立設され、内側板１３ａ〜１３ｄの内側に、電気回路の充電部５０を格納する回路格納部１４が画成されている。【００１５】
第１、第２の外側板１１ａ、１１ｂは、ボックス本体１０の薄型長方形の短辺を構成し、第３、第４の外側板１１ｃ、１１ｄは、薄型長方形の長辺を構成している。内側板１３ａ〜１３ｄの底板１２からの高さは、外側板１１ａ〜１１ｄの高さよりも低くなっている。【００１６】
また、第１、第２、第３、第４の外側板１１ａ、１１ｂ、１１ｃ、１１ｄ夫々の上縁部には、段部１１ａａ、１１ｂａ、１１ｃａ、１１ｄａが形成されている。段部１１ａａ〜１１ｄａには、後述する外側カバー３０の周辺部が嵌合される。【００１７】
第１の外側板１１ａ及び第１の内側板１３ａには、出力リード線４０のリード線引出口１５ａ、１５ｂが二つ並んで設けられ、第１の外側板１１ａの中央部内側には、ねじ穴１６ａが設けられた半円柱状のねじ止めボス１６が形成され、第１の外側板１１ａの内側のリード線引出口１５ａ、１５ｂの開放面側には、半円柱状の位置合せボス１７ａ、１７ｂが形成されている。第３、第４の外側板１１ｃ、１１ｄの開放面側２ヶ所には、係合スリット１８、１８が形成されている。【００１８】
回路格納部１４には、電気回路５０が格納される。電気回路５０は、端子台５１、５１、５１、バイパスダイオード５２、出力リード線４０等から成り、端子台５１、５１、５１とバイパスダイオード５２との接続部、及び出力リード線４０と端子台５１、５１、５１との接続部等が充電部を構成している。【００１９】
回路格納部１４に電気回路５０を格納した後に、回路格納部１４内に、電気回路５０を完全に覆い尽くすように充填材６０が充填される。充填材６０としては、ＵＬ規格のＶ０グレードのニ液混合型シリコンポッティング材を用いれば、難燃性、放熱性、充填性の点で好適である。充填された充填材が硬化した後、回路格納部１４の開放面を内側カバー２０でカバーし、ボックス本体１０の開放面を外側カバー３０でカバーする。【００２０】
図４は、実施の形態１の端子ボックスの外側カバーを示す平面図である。図４に示すように、外側カバー３０は、ボックス本体１０と同様に、ＡＢＳ樹脂或いは変成ＰＰＯ樹脂等により一体成型されている。ボックス本体１０の開放部をカバーする外側カバー３０の中央方形部３７は、周辺部３１ａ、３１ｂ、３１ｃ、４１ｄよりも段状に高く形成されている。【００２１】
外側カバー３０の長い周辺部３１ｃ、３１ｄには、ボックス本体１０の第３、第４の外側板１１ｃ、１１ｄに形成された係合スリット１８、１８に係合して外側カバー３０をボックス本体１０に係止する係合突起３２、３２が形成されている。【００２２】
外側カバー３０の一方の短い周辺部３１ａの中央部には、ボックス本体１０の第１の外側板１１ａの上縁部中央に形成された切欠き部１９（図２参照）に係合して外側カバー３０をボックス本体１０に位置決めする係合凸部３４が形成され、係合凸部３４の付け根部分には、外側カバー３０をボックス本体１０のねじ穴１６ａにねじ止めするねじ７０を通す通し孔３５が設けられている。【００２３】
また、外側カバー３０の一方の短い周辺部３１ａの２ヶ所には、ボックス本体１０の第１の外側板１１ａの２ヶ所に形成された位置合せボス１７ａ、１７ｂに係合して外側カバー３０をボックス本体１０に位置決めする係合凹部３６ａ、３６ｂが形成されている。また、外側カバー３０の中央方形部３７の隅部には、通気孔３８が設けられている。【００２４】
図５は、実施の形態１の端子ボックスの内側カバーを示す平面図であり、図６−１は、図３のＡ部拡大図であって実施の形態１のボックス本体と内側カバーの係合部を示す縦断面図である。図５及び図６−１を参照して、実施の形態１の内側カバー２０と、内側カバー２０とボックス本体１０との係合部について説明する。【００２５】
図５に示すように、内側カバー２０は、天板２２と、天板２２の外周部に垂下された第１、第２、第３、第４の側板２１ａ、２１ｂ、２１ｃ、２１ｄとを備え、金属板により薄型方形の蓋形状に形成されている。内側カバー２０は、ボックス本体１０の内側板１３ａ〜１３ｄに外嵌され、回路格納部１４をカバーする。第１、第２の側板２１ａ、２１ｂの天板２２からの高さは、第３、第４の側板２１ｃ、２１ｄの天板２２からの高さよりも小さくなっている（図１、図６−１参照）。【００２６】
内側カバー２０の第１の側板２１ａの２ヶ所には、ボックス本体１０の第１の外側板１１ａと第１の内側板１３ａとの間に形成された角筒状のリード線引出部１５ｃ、１５ｄ（図２参照）との干渉を避けるように切欠き部２５ａ、２５ｂが設けられている。また、天板２２には、単数又は複数の通気孔２３が設けられている。【００２７】
図６−１に示すように、第２の側板２１ｂの下縁部２ヶ所から直角に外側に折り曲げられて、ボックス本体１０の第２の外側板１１ｂに向って延びる２つの鉤部２４ａ、２４ｂが形成されている。【００２８】
第１、第２の側板２１ａ、２１ｂの内面間の寸法は、ボックス本体１０の第１、第２の外側板１３ａ、１３ｂの外面間の寸法より大きくされていて、第２の側板２１ｂの内面と第２の外側板１３ｂの外面との間には、隙間２１ｂｓが設けられている。第２の側板２１ｂの高さと鉤部２４ａ、２４ｂの長さの和は、第３、第４の側板２１ｃ、２１ｄの高さと同じになっていて、内側カバー２０の材料歩留りをよくしている。【００２９】
第２の外側板１１ｂの内側の上下方向中央部２ヶ所には、鉤部２４ａ、２４ｂに係合して内側カバー２０がボックス本体１０から外れない（浮上がらない）ように拘束する係止部としての突起部１１ｂｂ、１１ｂｃが形成されている。突起部１１ｂｂ、１１ｂｃの開放側は、テーパ部となっている。鉤部２４ａ、２４ｂ及び突起部１１ｂｂ、１１ｂｃは係合部を構成している。【００３０】
次に、実施の形態１の端子ボックス１００の組立方法を説明する。内側カバー２０の側板２１ａ〜２１ｄを、ボックス本体１０の充填材６０が充填された回路格納部１４を囲む内側板１３ａ〜１３ｄに外嵌し、内側カバー２０をボックス本体１０内に押込んでいく。【００３１】
内側カバー２０の鉤部２４ａ、２４ｂの先端が、突起部１１ｂｂ、１１ｂｃのテーパ部に接触し、テーパ部により内方へ押される。第２の側板２１ｂの内面と第２の外側板１３ｂの外面との間には、隙間２１ｂｓが設けられているので、第２の側板２１ｂが内方へ撓み、鉤部２４ａ、２４ｂが内方へ変位する。【００３２】
鉤部２４ａ、２４ｂが内方へ変位するので、内側カバー２０をさらに押込むことができ、天板２２を内側板１３ａ〜１３ｄの上縁部に当接させると、第２の側板２１ｂの内方への撓みが解消され、鉤部２４ａ、２４ｂが、突起部１１ｂｂ、１１ｂｃの底板１２側に入り込んで突起部１１ｂｂ、１１ｂｃと係合する。係合状態になると、内側カバー２０をボックス本体１０から取外そうとしても、鉤部２４ａ、２４ｂが突起部１１ｂｂ、１１ｂｃに係止、拘束され、容易に取外すことができない。【００３３】
内側カバー２０で回路格納部１４をカバーした後に、外側カバー３０の周辺部３１ａ〜３１ｄを、ボックス本体１０の外側板１１ａ〜１１ｄの段部１１ａａ〜１１ｄａに嵌め込み、係合突起３２、３２をボックス本体１０の係合スリット１８、１８に嵌め込み、外側カバー３０の周辺部３１ａ〜３１ｄにより、内側カバー２０の天板２２の外周部をボックス本体１０の内側板１３ａ〜１３ｄの上縁部に押し付け（図６−１参照）、最後に、ねじ７０により外側カバー３０をボックス本体１０に締結する。【００３４】
実施の形態１の端子ボックス１００によれば、電気回路５０が強く発熱し、充填材６０が熱膨張し、また、ボックス本体１０の樹脂材料から気化ガスが発生しても、充填材６０の熱膨張や気化ガスの圧力により、内側カバー２０及び外側カバー３０が浮上がることはない。【００３５】
また、内側カバーの天板２２及び外側カバー３０には、夫々通気孔２３、３８が設けられているので、気化ガスが、通気孔２３、３８から外部へ排出され、回路格納部１４内の気化ガスの圧力が高圧になることはない。【００３６】
以上の説明では、鉤部２４ａ、２４ｂを第２の側板２１ｂに設け、突起部１１ｂｂ、１１ｂｃを第２の外側板１１ｂに設けたが、鉤部を第３、第４の側板２１ｃ、２１ｄに設け、係止部としての突起部を第３、第４の外側板１１ｃ、１１ｄに設けてもよい。また、鉤部をボックス本体１０の外側板に設け、係止部としての突起部を内側カバー２０の側板に設けるようにしてもよい。【００３７】
実施の形態２．
図６−２は、実施の形態２のボックス本体と内側カバーの係合部を示す縦断面図である。図６−２を参照して、実施の形態２の内側カバー２２０とボックス本体２１０との係合部について説明する。【００３８】
図６−２に示すように、第２の側板２２１ｂの下縁部２ヶ所から直角に外側に折り曲げられて、ボックス本体１０の第２の外側板２１１ｂに向って延びる２つの鉤部２２４ａ、２２４ｂが形成されている。第１、第２の側板の内面間の寸法は、ボックス本体２１０の第１、第２の外側板の外面間の寸法より大きくされていて、第２の側板２２１ｂの内面と第２の外側板２１３ｂの外面との間には、隙間２２１ｂｓが設けられている。【００３９】
第２の外側板２１１ｂの内側の上下方向中央部２ヶ所には、鉤部２２４ａ、２２４ｂに係合して内側カバー２２０がボックス本体２１０から外れないように拘束する係止部としての凹部２１１ｂｂ、２１１ｂｃが形成されている。鉤部２２４ａ、２２４ｂ及び凹部２１１ｂｂ、２１１ｂｃは、係合部を構成している。【００４０】
次に、実施の形態２の端子ボックス２００の組立方法を説明する。内側カバー２２０の側板を、ボックス本体２１０の充填材６０が充填された回路格納部２１４を囲む内側板に外嵌させる。【００４１】
内側カバー２２０の鉤部２２４ａ、２２４ｂの先端が、外側板２１１ｂの上縁部内側に接触し、外側板２１１ｂにより内方へ押される。第２の側板２２１ｂの内面と第２の外側板２１３ｂの外面との間には、隙間２２１ｂｓが設けられているので、第２の側板２２１ｂが内方へ撓み、鉤部２２４ａ、２２４ｂが内方へ変位する。【００４２】
鉤部２２４ａ、２２４ｂが内方へ変位するので、内側カバー２２０をボックス本体２１０内に押込むことができ、天板２２２を内側板の上縁部に当接させると、第２の側板２２１ｂの内方への撓みが解消され、鉤部２２４ａ、２２４ｂが、凹部２１１ｂｂ、２１１ｂｃに入り込んで凹部２１１ｂｂ、１１ｂｃと係合する。係合状態になると、内側カバー２２０をボックス本体２１０から取外そうとしても、鉤部２２４ａ、２２４ｂが凹部２１１ｂｂ、２１１ｂｃに係止、拘束され、容易に取外すことができない。【００４３】
内側カバー２２０で回路格納部２１４をカバーした後に、外側カバー３０の周辺部３１ａ〜３１ｄを、ボックス本体２１０の外側板の段部に嵌め込み、係合突起３２、３２をボックス本体２１０の係合スリットに嵌め込み、外側カバー３０の周辺部により、内側カバー２２０の天板２２２の外周部をボックス本体２１０の内側板の上縁部に押し付け（図６−２参照）、最後に、ねじ７０により外側カバー３０をボックス本体２１０に締結する。【００４４】
実施の形態２の端子ボックス２００によれば、電気回路５０が強く発熱し、充填材６０が熱膨張し、また、ボックス本体２１０の樹脂材料から気化ガスが発生しても、充填材６０の熱膨張や気化ガスの圧力により、内側カバー２２０及び外側カバー３０が浮上がることはない。【００４５】
また、内側カバー２２０の天板２２２及び外側カバー３０には、夫々通気孔が設けられているので、気化ガスが、通気孔から外部へ排出され、回路格納部２１４内の気化ガスの圧力が高圧になって内側カバー２２０及び外側カバー３０が浮上がることはない。【００４６】
以上の説明では、鉤部２２４ａ、２２４ｂを第２の側板２２１ｂに設け、係止部としての凹部２１１ｂｂ、２１１ｂｃを第２の外側板２１１ｂに設けたが、鉤部を第３、第４の側板に設け、凹部を第３、第４の外側板に設けてもよい。また、鉤部をボックス本体２１０の外側板に設け、係止部としての凹部（又は孔）を内側カバー２２０の側板に設けるようにしてもよい。【００４７】
実施の形態３．
図６−３は、実施の形態３のボックス本体と内側カバーの係合部を示す縦断面図である。図６−３を参照して、実施の形態３の内側カバー３２０とボックス本体３１０との係合部について説明する。【００４８】
図６−３に示すように、第２の側板３２１ｂの下縁部２ヶ所から約１５０°外側に折り曲げられて、ボックス本体３１０の第２の外側板３１１ｂに向って傾斜して延びる２つの鉤部３２４ａ、３２４ｂが形成されている。第１、第２の側板３２１ａ、３２１ｂの内面間の寸法は、ボックス本体３１０の第１、第２の外側板３１３ａ、３１３ｂの外面間の寸法と略同じにされていて、第２の側板３２１ｂの内面と第２の外側板３１３ｂの外面との間には、隙間は設けられていない。【００４９】
第２の外側板３１１ｂの内側の上下方向中央部２ヶ所には、鉤部３２４ａ、３２４ｂに係合して内側カバー３２０がボックス本体３１０から外れないように拘束する係止部としての突起部３１１ｂｂ、３１１ｂｃが形成されている。鉤部３２４ａ、３２４ｂ及び突起部３１１ｂｂ、３１１ｂｃは、係合部を構成している。【００５０】
次に、実施の形態３の端子ボックス３００の組立方法を説明する。内側カバー３２０の側板３２１ａ〜３２１ｄを、ボックス本体３１０の充填材６０が充填された回路格納部３１４を囲む内側板３１３ａ〜３１３ｄに外嵌し、内側カバー３２０をボックス本体３１０内に押込んでいく。内側カバー３２０の鉤部３２４ａ、３２４ｂの中間部が、突起部３１１ｂｂ、３１１ｂｃに接触し、内方へ押される。鉤部３２４ａ、３２４ｂが内方へ撓み、内方へ変位する。【００５１】
鉤部３２４ａ、３２４ｂが内方へ変位するので、内側カバー３２０をさらに押込むことができ、天板３２２を内側板３１３ａ〜３１３ｄの上縁部に当接させると、鉤部３２４ａ、３２４ｂの内方への撓みが解消され、鉤部３２４ａ、３２４ｂが、突起部３１１ｂｂ、３１１ｂｃの底板３１２側に入り込んで突起部３１１ｂｂ、３１１ｂｃと係合する。係合状態になると、内側カバー３２０をボックス本体３１０から取外そうとしても、鉤部３２４ａ、３２４ｂが突起部３１１ｂｂ、３１１ｂｃに係止、拘束され、容易に取外すことができない。【００５２】
内側カバー３２０で回路格納部３１４をカバーした後に、外側カバー３０の周辺部３１ａ〜３１ｄを、ボックス本体２１０の外側板３１１ａ〜３１１ｄの段部３１１ａａ〜３１１ｄａに嵌め込み、係合突起３２、３２をボックス本体３１０の係合スリット３１８、３１８に嵌め込み、外側カバー３０の周辺部３１ａ〜３１ｄにより、内側カバー３２０の天板３２２の外周部をボックス本体３１０の内側板３１３ａ〜３１３ｄの上縁部に押し付け（図６−３参照）、最後に、ねじ７０により外側カバー３０をボックス本体３１０に締結する。【００５３】
実施の形態３の端子ボックス３００によれば、電気回路５０が強く発熱し、充填材６０が熱膨張し、また、ボックス本体３１０の樹脂材料から気化ガスが発生しても、充填材６０の熱膨張や気化ガスの圧力により、内側カバー３２０及び外側カバー３０が浮上がることはない。【００５４】
また、内側カバー３２０の天板３２２及び外側カバー３０には、夫々通気孔３２３、３８が設けられているので、気化ガスが、通気孔２２３、３８から外部へ排出され、回路格納部３１４内の気化ガスの圧力が高圧になって内側カバー３２０及び外側カバー３０が押上げられることはない。【００５５】
以上の説明では、鉤部３２４ａ、３２４ｂを第２の側板３２１ｂに設け、係止部としての突起部３１１ｂｂ、３１１ｂｃを第２の外側板３１１ｂに設けたが、鉤部を第３、第４の側板に設け、突起部を第３、第４の外側板に設けてもよい。また、鉤部をボックス本体３１０の外側板に設け、係止部としての突起部を内側カバー３２０の側板に設けるようにしてもよい。【００５６】
実施の形態４．
図６−４は、実施の形態４のボックス本体と内側カバーの係合部を示す縦断面図である。図６−４を参照して、実施の形態４の内側カバー４２０とボックス本体４１０との係合部について説明する。【００５７】
図６−４に示すように、第２の側板４２１ｂの下縁部２ヶ所から約１５０°外側に折り曲げられて、ボックス本体４１０の第２の外側板４１１ｂに向って傾斜して延びる２つの鉤部４２４ａ、４２４ｂが形成されている。【００５８】
第２の外側板４１１ｂの内側の上下方向中央部２ヶ所には、鉤部４２４ａ、４２４ｂに係合して内側カバー４２０がボックス本体４１０から外れないように拘束する係止部としての凹部４１１ｂｂ、４１１ｂｃが形成されている。鉤部４２４ａ、４２４ｂ及び凹部４１１ｂｂ、４１１ｂｃは、係合部を構成している。【００５９】
次に、実施の形態４の端子ボックス４００の組立方法を説明する。内側カバー４２０の側板４２１ａ〜４２１ｄを、ボックス本体４１０の充填材６０が充填された回路格納部４１４を囲む内側板４１３ａ〜４１３ｄに外嵌し、内側カバー４２０をボックス本体４１０内に押込んでいく。内側カバー４２０の鉤部４２４ａ、４２４ｂの中間部が、第２の外側板４１１ｂの上縁部に接触し、内方へ押される。鉤部４２４ａ、４２４ｂが内方へ撓み、内方へ変位する。【００６０】
鉤部４２４ａ、４２４ｂが内方へ変位するので、内側カバー４２０をさらに押込むことができ、天板４２２を内側板４１３ａ〜４１３ｄの上縁部に当接させると、鉤部４２４ａ、４２４ｂの内方への撓みが解消され、鉤部４２４ａ、４２４ｂの先端が、凹部４１１ｂｂ、４１１ｂｃに入り込んで凹部４１１ｂｂ、４１１ｂｃと係合する。係合状態になると、内側カバー４２０をボックス本体４１０から取外そうとしても、鉤部４２４ａ、４２４ｂが凹部４１１ｂｂ、４１１ｂｃに係止、拘束され、容易に取外すことができない。【００６１】
内側カバー４２０で回路格納部４１４をカバーした後に、外側カバー３０の周辺部３１ａ〜３１ｄを、ボックス本体４１０の外側板４１１ａ〜４１１ｄの段部４１１ａａ〜４１１ｄａに嵌め込み、係合突起３２、３２をボックス本体４１０の係合スリット４１８、４１８に嵌め込み、外側カバー３０の周辺部３１ａ〜３１ｄにより、内側カバー４２０の天板４２２の外周部をボックス本体４１０の内側板４１３ａ〜４１３ｄの上縁部に押し付け（図６−４参照）、最後に、ねじ７０により外側カバー３０をボックス本体４１０に締結する。【００６２】
実施の形態４の端子ボックス４００によれば、電気回路５０が強く発熱し、充填材６０が熱膨張し、また、ボックス本体４１０の樹脂材料から気化ガスが発生しても、充填材６０の熱膨張や気化ガスの圧力により、内側カバー４２０及び外側カバー３０が浮上がるようなことはない。【００６３】
また、内側カバー４２０の天板４２２及び外側カバー３０には、夫々通気孔４２３、３８が設けられているので、気化ガスが、通気孔４２３、３８から外部へ排出され、回路格納部４１４内の気化ガスの圧力が高圧になって内側カバー４２０及び外側カバー３０が浮上がることはない。【００６４】
以上の説明では、鉤部４２４ａ、４２４ｂを第２の側板４２１ｂに設け、係止部としての凹部４１１ｂｂ、４１１ｂｃを第２の外側板４１１ｂに設けたが、鉤部を第３、第４の側板に設け、凹部を第３、第４の外側板に設けてもよい。また、鉤部をボックス本体４１０の外側板に設け、係止部としての凹部（又は孔）を内側カバー４２０の側板に設けるようにしてもよい。
【産業上の利用可能性】
【００６５】
以上のように、本発明にかかる端子ボックスは、太陽電池モジュール用の端子ボックスとして有用である。
【図１】
2009011051.tif 000003
【図２】
2009011051.tif 000004
【図３】
2009011051.tif 000005
【図４】
2009011051.tif 000006
【図５】
2009011051.tif 000007
【図６−１】
2009011051.tif 000008
【図６−２】
2009011051.tif 000009
【図６−３】
2009011051.tif 000010
【図６−４】
2009011051.tif 000011
【国際調査報告】
2009011051.tif 000012
2009011051.tif 000013
2009011051.tif 000014
2009011051.tif 000015